(57)【要約】【課題】結露による窓枠の周囲の腐食を防止するとともに、窓枠の取外し工事を容易にし、その交換や修繕等の工事費を下げる。【解決手段】枠組み１１は矩形状であり、２本の竪材と２本の横材とから成る。枠組み１１はその内面全体の室外側から間隔をあけた位置に額縁１２が接するよう設けられる。窓枠用防湿性カバー１３は４つのコーナー部と４つの辺部分とを有し、内縁部１３ｄと外縁部１３ｃとを有する。内縁部１３ｄは枠組み１１に沿って設けられて額縁１２の室外側面に当接可能であり、外縁部１３ｃは枠組み１１の室外側面に当接可能である。窓枠１４は矩形の枠状であって、室内側面１４ａと段部１４ｂとカバー部１４ｃとを有する。室内側面１４ａは窓枠用防湿性カバー１３の内縁部１３ｄの全周に当接する。段部１４ｂは外周に設けられて窓枠用防湿性カバー１３の外縁部１３ｃの全周に当接する。【選択図】図１
2004132023.tif 000002
【特許請求の範囲】
【請求項１】
２本の竪材と２本の横材とから成る矩形状の枠組みに設けられる窓枠用防湿性カバーであって、
前記枠組みはその内面全体の室外側から間隔をあけた位置に額縁が設けられており、
矩形の枠状であって４つのコーナー部と４つの辺部分とを有し、前記枠組みに沿って設けられて前記額縁の室外側面に当接可能な内縁部と前記枠組みの室外側面に当接可能な外縁部とを有することを、特徴とする窓枠用防湿性カバー。
【請求項２】
一端側部材と他端側部材とから成り、前記一端側部材および前記他端側部材はそれぞれ互いに対向する前記辺部分の一方とその辺部分の両端から伸びる辺構成部とから成り、互いに対向する各辺構成部をスライド可能に重ねて構成されることを、特徴とする請求項１記載の窓枠用防湿性カバー。
【請求項３】
可撓性を有し、前記外縁部および前記内縁部の各端部全周に室外側に折り返した折返し部を有することを、特徴とする請求項１または２記載の窓枠用防湿性カバー。
【請求項４】
２本の竪材と２本の横材とから成る矩形状の枠組みに設けられる窓枠構造であって、
前記枠組みはその内面全体の室外側から間隔をあけた位置に額縁が設けられており、
窓枠用防湿性カバーと窓枠とを有し、
前記窓枠用防湿性カバーは、矩形の枠状であって４つのコーナー部と４つの辺部分とを有し、前記枠組みに沿って設けられて内縁部が前記額縁の室外側面に当接し、外縁部が前記枠組みの室外側面に当接し、
前記窓枠は矩形の枠状であって、前記窓枠用防湿性カバーの内縁部の全周に当接する室内側面と、外周に設けられて前記窓枠用防湿性カバーの外縁部の全周に当接する段部と、前記枠組みの室外側面の上に設けられる外装材の縁部を前記段部より外周側に突出して覆うカバー部とを有することを、特徴とする窓枠構造。
【請求項５】
前記窓枠用防湿性カバーは可撓性を有し、前記外縁部および前記内縁部の各端部全周に室外側に折り返した折返し部を有し、
前記外装材は前記外縁部の前記折返し部の全体に当接し、前記窓枠の室内側面は前記内縁部の前記折返し部の全体に当接することを、特徴とする請求項４記載の窓枠構造。
【請求項６】
各竪材は前記枠組みの内側の互いに対向する位置に突出するピンを有し、前記窓枠は、各ピンに支持されるよう係合する係合部を有し、前記外装材を固定したままで室外側に取り外し可能に設けられていることを、特徴とする請求項５記載の窓枠構造。
【請求項７】
２本の竪材と２本の横材とから成る矩形状の枠組みに窓枠を取り付けるための窓枠施工方法であって、
前記枠組みはその内面全体の室外側から間隔をあけた位置に額縁が設けられており、
矩形の枠状であって４つのコーナー部と４つの辺部分とを有する窓枠用防湿性カバーを、前記枠組みに沿って設けて内縁部を前記額縁の室外側面に当接させ、外縁部を前記枠組みの室外側面に当接させる工程と、
前記枠組みの室外側面の上に前記窓枠用防湿性カバーの上から外装材を設ける工程と、
外周に段部と前記段部より外周側に突出したカバー部とを有する矩形の枠状の窓枠を前記枠組みの内側に取り付け、その室内側面を前記窓枠用防湿性カバーの内縁部の全周に当接させ、前記段部を前記窓枠用防湿性カバーの外縁部の全周に当接させ、前記カバー部で前記外装材の縁部を覆う工程とを、
有することを特徴とする窓枠施工方法。
【発明の詳細な説明】
【０００１】
【発明の属する技術分野】
本発明は、住宅などの木造建築物で用いられる窓枠用防湿性カバー、窓枠構造および窓枠施工方法に関する。
【０００２】
【従来の技術】
従来の窓枠構造としては、特開２０００−１８６４６７号公報に示すものがある。すなわち、１対の柱の対向面に窓枠支持用部材を固定し、窓枠支持用部材の固定後、窓枠の各取付け用フックをそれぞれ各窓枠支持用部材に取り付け、窓枠の取付け後、室外側カバーおよび室内側カバーを各柱および横材に固定するものである。
【０００３】
【発明が解決しようとする課題】
ところで、従来の窓枠構造では、窓枠に防水、防湿のためのフランジが設けられており、そのフランジを室外側から外壁材が覆っていた。このため、窓枠を老朽化による交換や修繕のために取り外すときには、外壁材を取り外す必要があり、工事に手間がかかることから工事費が嵩むという課題があった。
また従来の窓枠構造では、窓枠の結露により、窓枠の周囲が濡れて腐食するという課題があった。
【０００４】
本発明は、このような従来の課題に着目してなされたもので、結露による窓枠の周囲の腐食を防止するとともに、窓枠の取外し工事を容易にし、その交換や修繕等の工事費を下げることができる窓枠用防湿性カバー、窓枠構造および窓枠施工方法を提供することを目的としている。
【０００５】
【課題を解決するための手段】
上記目的を達成するために、本発明に係る窓枠用防湿性カバーは、２本の竪材と２本の横材とから成る矩形状の枠組みに設けられる窓枠用防湿性カバーであって、前記枠組みはその内面全体の室外側から間隔をあけた位置に額縁が設けられており、矩形の枠状であって４つのコーナー部と４つの辺部分とを有し、前記枠組みに沿って設けられて前記額縁の室外側面に当接可能な内縁部と前記枠組みの室外側面に当接可能な外縁部とを有することを、特徴とする。
【０００６】
本発明に係る窓枠用防湿性カバーの上には、施工の際、窓枠が設けられる。本発明に係る窓枠用防湿性カバーは、枠組みおよび額縁と窓枠との間に設けられて額縁の室外側面に内縁部が当接し、枠組みの室外側面に外縁部が当接するため、窓枠に生じる結露を遮断し、結露で枠組みや額縁などの窓枠の周囲が濡れて腐食するのを防止する。特に、本発明に係る窓枠用防湿性カバーは、通常、水が漏れやすいコーナーでも窓枠との間を遮断し、結露による腐食を防止することができる。また、窓枠に防水、防湿のためのフランジを設ける必要がなくなるため、フランジを有しない窓枠を用いて窓枠の取外し工事を容易にし、その交換や修繕等の工事費を下げることができる。なお、竪材は、支柱、間柱、束その他、縦方向に設けられるいかなる建材であってもよい。横材は、土台、根太、梁、桁その他、横方向に設けられるいかなる建材であってもよい。
【０００７】
本発明に係る窓枠用防湿性カバーは、一端側部材と他端側部材とから成り、前記一端側部材および前記他端側部材はそれぞれ互いに対向する前記辺部分の一方とその辺部分の両端から伸びる辺構成部とから成り、互いに対向する各辺構成部をスライド可能に重ねて構成されることが好ましい。
【０００８】
この場合、一端側部材と他端側部材とを互いにスライドさせて、窓枠および枠組みの大きさに合わせることができる。一端側部材および他端側部材の辺構成部には、互いにずれずにスライドを容易にするため、長さ方向に沿って伸びて互いに係合する溝および突条を設けてもよい。また、窓枠の規格に合わせて辺構成部をスライドさせるため、互いにスライドする辺構成部に、規格に合った長さごとに嵌合する凹凸を設けてもよい。
【０００９】
本発明に係る窓枠用防湿性カバーは、可撓性を有し、前記外縁部および前記内縁部の各端部全周に室外側に折り返した折返し部を有することが好ましい。
この場合、施工の際、外装材を外縁部の折返し部の全体に当接させ、窓枠の室内側面を内縁部の折返し部の全体に当接させる。折返し部は、可撓性を有するため、それぞれ外装材および窓枠に密着する。これにより、外縁部および内縁部の折返し部の位置で気密性、防水性および防湿性を保つことができる。
【００１０】
本発明に係る窓枠構造は、２本の竪材と２本の横材とから成る矩形状の枠組みに設けられる窓枠構造であって、前記枠組みはその内面全体の室外側から間隔をあけた位置に額縁が設けられており、窓枠用防湿性カバーと窓枠とを有し、前記窓枠用防湿性カバーは、矩形の枠状であって４つのコーナー部と４つの辺部分とを有し、前記枠組みに沿って設けられて内縁部が前記額縁の室外側面に当接し、外縁部が前記枠組みの室外側面に当接し、前記窓枠は矩形の枠状であって、前記窓枠用防湿性カバーの内縁部の全周に当接する室内側面と、外周に設けられて前記窓枠用防湿性カバーの外縁部の全周に当接する段部と、前記枠組みの上に設けられる外装材の縁部を前記段部より外周側に突出して覆うカバー部とを有することを、特徴とする。
【００１１】
本発明に係る窓枠施工方法は、２本の竪材と２本の横材とから成る矩形状の枠組みに窓枠を取り付けるための窓枠施工方法であって、前記枠組みはその内面全体の室外側から間隔をあけた位置に額縁が設けられており、矩形の枠状であって４つのコーナー部と４つの辺部分とを有する窓枠用防湿性カバーを、前記枠組みに沿って設けて内縁部を前記額縁の室外側面に密着させ、外縁部を前記枠組みの室外側面に密着させる工程と、前記枠組みの室外側面の上に前記窓枠用防湿性カバーの上から外装材を設ける工程と、外周に段部と前記段部より外周側に突出したカバー部とを有する矩形の枠状の窓枠を前記枠組みの内側に取り付け、その室内側面を前記窓枠用防湿性カバーの内縁部の全周に当接させ、前記段部を前記窓枠用防湿性カバーの外縁部の全周に当接させ、前記カバー部で前記外装材の縁部を覆う工程とを、有することを特徴とする。
【００１２】
本発明に係る窓枠構造および窓枠施工方法は、窓枠用防湿性カバーが枠組みおよび額縁と窓枠との間に設けられて額縁の室外側面に内縁部が当接し、枠組みの室外側面に外縁部が当接するため、窓枠に生じる結露を遮断し、結露で枠組みや額縁などの窓枠の周囲が濡れて腐食するのを防止する。特に、本発明に係る窓枠構造および窓枠施工方法は、通常、水が漏れやすいコーナーでも窓枠との間を遮断し、結露による腐食を防止することができる。また、窓枠には、防水、防湿のためのフランジを設ける必要がないため、窓枠を取り外すために外壁材を取り外す必要がなく、窓枠の取外し工事を容易にし、その交換や修繕等の工事費を下げることができる。
【００１３】
本発明に係る窓枠構造および窓枠施工方法では、前記窓枠用防湿性カバーは可撓性を有し、前記外縁部および前記内縁部の各端部全周に室外側に折り返した折返し部を有し、前記外装材は前記外縁部の前記折返し部の全体に当接し、前記窓枠の室内側面は前記内縁部の前記折返し部の全体に当接することが好ましい。
【００１４】
この場合、折返し部は、可撓性を有するため、それぞれ外装材および窓枠に密着する。これにより、外縁部および内縁部の折返し部の位置で気密性、防水性および防湿性を保つことができる。
【００１５】
本発明に係る窓枠構造および窓枠施工方法では、各竪材は前記枠組みの内側の互いに対向する位置に突出するピンを有し、前記窓枠は、各ピンに支持されるよう係合する係合部を有し、前記外装材を固定したままで室外側に取り外し可能に設けられていることが好ましい。
【００１６】
この場合、窓枠の係合部をピンに係合させることにより、窓枠を枠組みに着脱可能に取り付けることができる。窓枠は、外装材を固定したままで室外側に取り外し可能なため、窓枠の取外し工事が容易であり、窓枠の交換や修繕等の工事費を下げることができる。
【００１７】
【発明の実施の形態】
以下、図面に基づき本発明の実施の形態について説明する。
図１〜図５は、本発明の実施の形態を示している。
図１、図２に示すように、窓枠構造は、枠組み１１と、額縁１２と、窓枠用防湿性カバー１３と、窓枠１４と、ピン１５と、係合部１６とを有する。
【００１８】
枠組み１１は、矩形状であり、２本の竪材と２本の横材とから成る。図１に示すように、竪材は、間柱１１ａから成り、胴縁１１ｂおよび受材１１ｃが固定されている。胴縁１１ｂは、間柱１１ａの室外側に固定され、枠組み１１を構成している。受材１１ｃは、間柱１１ａの内面の室外側から間隔をあけた位置に固定され、枠組み１１を構成している。図２に示すように、一方の横材は、窓台１１ｄから成り、受材１１ｅが固定されている。受材１１ｅは、窓台１１ｄの内面に固定され、枠組み１１を構成している。他方の横材は、窓台１１ｄと対向する梁から成っている。
【００１９】
なお、図１、図２に示すように、枠組み１１の外側周辺の壁構造は、以下のようになっている。間柱１１ａの外面の中心付近に縦方向に溝１１ｆが設けられ、その溝１１ｆに中密度圧縮合板（ＭＤＦ）１７の端部が挿入されている。中密度圧縮合板１７の室外側には、間柱１１ａの厚さの範囲内に断熱材１８が設けられている。
【００２０】
胴縁１１ｂには、防風防湿シート１９を挟んで外装下地材２０が固定されている。外装下地材２０の室外側には、外装本体２１が固定されている。外装下地材２０および外装本体２１は、外装材を構成している。断熱材１８と外装下地材２０との間には、通気層２２が形成されている。ＭＤＦ１７の室内側にはパネル桟２３が設けられ、パネル桟２３は間柱１１ａの外面に固定されている。間柱１１ａの室内側には、内装材２４が固定されている。
【００２１】
図１、図２に示すように、額縁１２は、枠組み１１の内面全体の室外側から間隔をあけた位置に接するよう設けられ、受材１１ｃ、１１ｅの内側に固定されている。額縁１２の室内側の面には溝１２ａが設けられ、溝１２ａには化粧材２５が挿入されて固定されている。化粧材２５は、内装材２４の縁部を覆っている。
【００２２】
図３、図４に示すように、窓枠用防湿性カバー１３は、矩形の枠状であって４つのコーナー部１３ａと４つの辺部分１３ｂとを有する。窓枠用防湿性カバー１３は、軟質プラスチックから成って可撓性を有する。窓枠用防湿性カバー１３は、外縁部１３ｃと内縁部１３ｄと中間部１３ｅと折返し部１３ｆ、１３ｇとを一体的に有している。
【００２３】
外縁部１３ｃおよび内縁部１３ｄは、互いに平行であって段差をなしている。中間部１３ｅは、帯を矩形の枠状に結合した形状を有し、外面と内面とを有している。中間部１３ｅは、外縁部１３ｃの内端と内縁部１３ｄの外端とを結合し、外縁部１３ｃおよび内縁部１３ｄと直角をなしている。折返し部１３ｆ、１３ｇは、外縁部１３ｃおよび内縁部１３ｄの各端部全周に室外側に折り返すよう設けられている。折返し部１３ｆは、外縁部１３ｃの方向に折り返している。折返し部１３ｇは、内縁部１３ｄの側と反対側で折り返している。
【００２４】
図４に示すように、窓枠用防湿性カバー１３は、一端側部材１３Ａと他端側部材１３Ｂとから成る。一端側部材１３Ａおよび他端側部材１３Ｂは、それぞれ互いに対向する辺部分１３ｂの一方と、その辺部分１３ｂの両端から伸びる辺構成部１３ｈとから成る。一端側部材１３Ａおよび他端側部材１３Ｂは、互いに対向する各辺構成部１３ｈをスライド可能に重ねて構成される。一端側部材１３Ａおよび他端側部材１３Ｂは、外側に重ねられる一端側部材１３Ａが内側に重ねられる他端側部材１３Ｂよりやや大きくなっており、歪まないように重ねられている。一端側部材１３Ａおよび他端側部材１３Ｂは、外側に重ねられる一端側部材１３Ａの折返し部１３ｆ，１３ｇが内側に重ねられる他端側部材１３Ｂの折返し部１３ｆ，１３ｇと係合して互いにずれにくくなっている。
【００２５】
図１、図２に示すように、窓枠用防湿性カバー１３は、枠組み１１に沿って設けられて内縁部１３ｄが額縁１２の室外側面１２ｂおよび受材１１ｃの室外側面に当接し、中間部１３ｅが間柱１１ａ、胴縁１１ｂおよび受材１１ｅの内側面に当接し、外縁部１３ｃが胴縁１１ｂ、窓台１１ｄおよび受材１１ｅの室外側面に当接している。
【００２６】
図１、図２に示すように、窓枠１４は、例えば、アルミサッシから成る。窓枠１４は、矩形の枠状であって、室内側面１４ａと、段部１４ｂと、カバー部１４ｃとを一体的に有する。室内側面１４ａは、窓枠用防湿性カバー１３の内縁部１３ｄの全周に当接している。段部１４ｂは、窓枠１４の外周に設けられ、窓枠用防湿性カバー１３の外縁部１３ｃの全周に当接している。カバー部１４ｃは、枠組み１１の室外側の上に設けられる外装下地材２０および外装本体２１の縁部２０ａ，２１ａを、段部１４ｂより外周側に突出して覆っている。
【００２７】
図１、図５に示すように，ピン１５は、複数対から成り、枠組み１１の間柱１１ａの内側の互いに対向する位置に垂直に突出して設けられている。係合部１６は、ピン１５と同じ複数対から成って窓枠１４の外側に設けられており、各ピン１５に支持されるよう各ピン１５と着脱可能に係合する。
【００２８】
窓枠１４を施工するには、まず、矩形状の枠組み１１を形成し、枠組み１１の内面全体の室外側から間隔をあけた位置に接するよう額縁１２を固定する。次に、窓枠用防湿性カバー１３を、枠組み１１に沿って設け、内縁部１３ｄを額縁１２の室外側面１２ｂに当接させ、外縁部１３ｃを胴縁１１ｂの室外側面に当接させる。このとき、窓枠用防湿性カバー１３は、一端側部材１３Ａと他端側部材１３Ｂとを各辺構成部１３ｈで重ねた状態で互いにスライドさせることにより、窓枠１４および枠組み１１の大きさに合わせることができる。
【００２９】
胴縁１１ｂの室外側面の上に窓枠用防湿性カバー１３の上から、外装下地材２０および外装本体２１を固定する。図１、図２に示すように、外装下地材２０を外縁部１３ｃの折返し部１３ｇの全体に当接させ、窓枠１４の室内側面１４ａを内縁部１３ｄの折返し部１３ｆの全体に当接させる。折返し部１３ｇ、１３ｆは、可撓性を有するため、それぞれ外装下地材２０および窓枠１４に密着する。これにより、外縁部１３ｃおよび内縁部１３ｄの折返し部１３ｇ、１３ｆの位置で気密性、防水性および防湿性を保つことができる。
【００３０】
胴縁１１ｂと外装下地材２０との間には、防風防湿シート１９を挟む。さらに、窓枠１４を枠組み１１の内側に取り付ける。図１、図５に示すように、窓枠１４の係合部１６をピン１５に係合させることにより、窓枠１４を枠組み１１に着脱可能に取り付けることができる。このとき、窓枠１４の室内側面１４ａを窓枠用防湿性カバー１３の内縁部１３ｄの全周に当接させ、段部１４ｂを窓枠用防湿性カバー１３の外縁部１３ｃの全周に当接させ、カバー部１４ｃで外装下地材２０および外装本体２１の縁部２０ａ，２１ａを覆う。この施工方法により、窓枠１４を容易に施工することができる。
【００３１】
窓枠１４は、外装下地材２０および外装本体２１を固定したままで室外側に取り外し可能なため、窓枠１４の取外し工事が容易であり、窓枠１４の交換や修繕等の工事費を下げることができる。
【００３２】
次に作用を説明する。
窓枠用防湿性カバー１３は、枠組み１１および額縁１２と窓枠１４との間に設けられて内縁部１３ｄが額縁１２の室外側面１２ｂおよび受材１１ｃの室外側面に当接し、中間部１３ｅが間柱１１ａ、胴縁１１ｂおよび受材１１ｅの内側面に当接し、外縁部１３ｃが胴縁１１ｂ、窓台１１ｄおよび受材１１ｅの室外側面に当接するため、窓枠１４に生じる結露を遮断し、結露で枠組み１１や額縁１２などの窓枠１４の周囲が濡れて腐食するのを防止する。特に、窓枠用防湿性カバー１３は、通常、水が漏れやすいコーナーでも窓枠１４との間を遮断し、結露による腐食を防止することができる。また、窓枠に防水、防湿のためのフランジを設ける必要がなくなるため、フランジを有しない窓枠を用いて窓枠の取外し工事を容易にし、その交換や修繕等の工事費を下げることができる。
【００３３】
【発明の効果】
本発明に係る窓枠用防湿性カバー、窓枠構造および窓枠施工方法によれば、結露による窓枠の周囲の腐食を防止するとともに、窓枠の取外し工事を容易にし、その交換や修繕等の工事費を下げることができる。
【図面の簡単な説明】
【図１】本発明の実施の形態の窓枠構造の一部の水平方向の断面図である。
【図２】図１に示す窓枠構造の一部の垂直方向の断面図である。
【図３】図１に示す窓枠構造で用いられる窓枠用防湿性カバーの断面図である。
【図４】図１に示す窓枠構造で用いられる窓枠用防湿性カバーの正面図である。
【図５】図１に示す窓枠構造で用いられる窓枠のピンとの係合状態を示す断面図である。
【符号の説明】
１１　　枠組み
１１ａ　間柱
１１ｂ　胴縁
１１ｃ　受材
１１ｄ　窓台
１２　額縁
１３　窓枠用防湿性カバー
１３ａ　コーナー部
１３ｂ　辺部分
１３ｃ　外縁部
１３ｄ　内縁部
１３ｅ　中間部
１３ｆ、１３ｇ　折返し部
１３ｈ　辺構成部
１４　窓枠
１４ａ　室内側面
１４ｂ　段部
１４ｃ　カバー部
１５　ピン
１６　係合部
【図１】
2004132023.tif 000003
【図２】
2004132023.tif 000004
【図３】
2004132023.tif 000005
【図４】
2004132023.tif 000006
【図５】
2004132023.tif 000007